(57)【要約】【課題】発色性（特に暗部の色再現範囲）に優れた２次色画像を記録することができるとともに、記録媒体の種類によらずに光学濃度の高い画像を記録することができるインクを含むインクセットを提供する。【解決手段】第１インク及び第２インクの組み合わせを有する水性のインクセットである。第１インクが、酸化処理された自己分散カーボンブラックを含有し、第２インクが、下記一般式（Ｉ）（Ｒ1：アルキル基など、Ｒ2：−ＯＲ3又は−ＮＨＲ4、Ｒ5：２価のヘテロ環基、Ｒ6：２価の連結基、Ｍ：水素原子、アルカリ金属など）で表される化合物を含有する。2016125003.tif 000044【選択図】なし【特許請求の範囲】
【請求項１】
第１インク及び第２インクの組み合わせを有する水性のインクセットであって、
前記第１インクが、酸化処理された自己分散カーボンブラックを含有し、
前記第２インクが、下記一般式（Ｉ）で表される化合物を含有することを特徴とするインクセット。
2016125003.tif 000043
（前記一般式（Ｉ）中、Ｒ1は、アルキル基、アルコキシ基、又はアリール基を表し、Ｒ2は、−ＯＲ3又は−ＮＨＲ4を表し（Ｒ3及びＲ4は、水素原子又は１価の基を表す）、Ｒ5は、２価のヘテロ環基を表し、Ｒ6は、２価の連結基を表し、ｍは０又は１を表し、Ｍは、水素原子、アルカリ金属、アンモニウム、又は有機アンモニウムを表し、ｎは１又は２を表す）
【請求項２】
前記自己分散カーボンブラックが、オゾン酸化処理された自己分散カーボンブラックである請求項１に記載のインクセット。
【請求項３】
前記自己分散カーボンブラックの表面に存在するカルボキシ基の量が、０．１５ｍｍｏｌ／ｇ以上０．４０ｍｍｏｌ／ｇ以下である請求項１又は２に記載のインクセット。
【請求項４】
前記自己分散カーボンブラックの表面に存在するヒドロキシ基の量が、０．０５ｍｍｏｌ／ｇ以上０．２０ｍｍｏｌ／ｇ以下である請求項１乃至３のいずれか１項に記載のインクセット。
【請求項５】
インクをインクジェット方式の記録ヘッドから吐出させて記録媒体に画像を記録するインクジェット記録方法であって、
前記インクが、請求項１乃至４のいずれか１項に記載のインクセットを構成する各インクであることを特徴とするインクジェット記録方法。
【発明の詳細な説明】
【技術分野】
【０００１】
本発明は、インクセット及びインクジェット記録方法に関する。
【背景技術】
【０００２】
インクジェット記録方法に用いるインクには、近年、記録した画像の画質をこれまで以上に向上することが要求されている。また、ブラックインクとカラーインクとを併用する場合には、発色性、なかでも暗部の色再現範囲に優れた２次色画像を記録しうることが要求されている。
【０００３】
一方、ブラックインクには、記録される２次色画像の発色性が高いことに加え、画像の光学濃度をより一層向上することが求められている。画像を記録する記録媒体のなかでも、普通紙にはインクの浸透性が異なる様々な種類のものが存在する。そして、記録媒体のインクの浸透性の違いは、記録される画像の特性に影響を及ぼす。例えば、インクの浸透性が高い普通紙に記録した画像の光学濃度は低下する傾向にある。インクジェット記録方法の普及が著しい近年にあっては、記録媒体の種類によることなく光学濃度の高い画像を記録しうることが要求されている。
【０００４】
このような要求に対し、暗部の色再現範囲を向上させるべく、自己分散顔料を含むインクと、発色性の高いマゼンタ染料を含むインクとで構成されたインクセットが提案されている（特許文献１）。また、オゾンを用いて酸化処理した自己分散顔料と多価カチオンを含むインクが提案されている（特許文献２）。
【先行技術文献】
【特許文献】
【０００５】
【特許文献１】特開２０１２−１９３３０８号公報
【特許文献２】特表２００５−５２９２１０号公報
【発明の概要】
【発明が解決しようとする課題】
【０００６】
しかし、特許文献１で提案されたインクセットを用いると、暗部の色再現範囲については十分なレベルの画像を記録することができるが、光学濃度については未だ不十分であった。また、特許文献２で提案された、オゾンを用いて酸化処理された自己分散顔料を含有するインクを用いると、画像の光学濃度は向上するが、２次色画像の暗部の色再現範囲については不十分なレベルであった。
【０００７】
したがって、本発明の目的は、発色性（特に暗部の色再現範囲）に優れた２次色画像を記録することができるとともに、記録媒体の種類によらずに光学濃度の高い画像を記録することができるインクを含むインクセットを提供することにある。また、本発明の別の目的は、前記インクセットを用いたインクジェット記録方法を提供することにある。
【課題を解決するための手段】
【０００８】
上記の目的は、以下の本発明によって達成される。すなわち、本発明によれば、第１インク及び第２インクの組み合わせを有する水性のインクセットであって、前記第１インクが、酸化処理された自己分散カーボンブラックを含有し、前記第２インクが、下記一般式（Ｉ）で表される化合物を含有することを特徴とするインクセットが提供される。
【０００９】
2016125003.tif 000002
（前記一般式（Ｉ）中、Ｒ1は、アルキル基、アルコキシ基、又はアリール基を表し、Ｒ2は、−ＯＲ3又は−ＮＨＲ4を表し（Ｒ3及びＲ4は、水素原子又は１価の基を表す）、Ｒ5は、２価のヘテロ環基を表し、Ｒ6は、２価の連結基を表し、ｍは０又は１を表し、Ｍは、水素原子、アルカリ金属、アンモニウム、又は有機アンモニウムを表し、ｎは１又は２を表す）
【発明の効果】
【００１０】
本発明によれば、発色性（特に暗部の色再現範囲）に優れた２次色画像を記録することができるとともに、記録媒体の種類によらずに光学濃度の高い画像を記録することができるインク（第１インク）を含むインクセットを提供することができる。また、本発明によれば、このインクセットを用いたインクジェット記録方法を提供することができる。
【発明を実施するための形態】
【００１１】
以下、好適な実施の形態を挙げて本発明を詳細に説明するが、本発明は以下の実施の形態に限定されるものではない。
【００１２】
本発明者らは、普通紙の種類によらずに光学濃度の高い画像を記録することができるインクについて種々の検討を行った。普通紙の種類によらずに光学濃度の高い画像を記録するためには、普通紙のなかでも、インクの浸透性の高い普通紙に記録した画像の光学濃度に着目する必要がある。浸透性の高い普通紙には、填料やサイズ剤といったインクの浸透を抑制する添加剤がほとんど含まれていない。このため、インク中の色材が普通紙の表面や表層に定着しにくく、内部に沈み込みやすいことが、画像の光学濃度の低下要因であると推測した。
【００１３】
そして、検討の結果、酸化処理された自己分散カーボンブラックを色材として含有するインクを用いることで、インクの浸透性の高い普通紙にも光学濃度の高い画像を記録できること、すなわち、記録媒体の種類によらず光学濃度の高い画像を記録できることを見出した。この理由を本発明者らは以下のように推測している。
【００１４】
カーボンブラックの粒子表面を酸化処理すると、化学的に表面修飾する場合と比較して、カーボンブラックの粒子表面にヒドロキシ基などのノニオン性の親水性基が導入されやすい。ノニオン性の親水性基は普通紙の主成分であるセルロースと水素結合を形成するため、ノニオン性の親水性基をその粒子表面に有する自己分散カーボンブラックは、普通紙の表面やその近傍に留まりやすくなる。このため、酸化処理された自己分散カーボンブラックを含有するインクを用いると、インクの浸透性の高い普通紙に記録する場合であっても、光学濃度の高い画像を得ることができる。
【００１５】
一方、酸化処理された自己分散カーボンブラックは、ノニオン性の親水性基が導入されやすいために凝集しにくい。このため、顔料の凝集体が記録媒体上で形成されにくく、かつ、反射光を抑えにくくなる。したがって、２種類のインクを併用して記録される２次色画像の暗部の色再現範囲が低下しやすくなると考えられる。そこで本発明者らは、２種類のインク（第１インクと第２インク）の関係に着目し、第２インクの色材として種々の化合物を検討した。その結果、酸化処理された自己分散カーボンブラックを含有する第１インクと、一般式（Ｉ）で表される化合物を含有する第２インク（イエローインク）とを併用することで、２次色画像の発色性が向上することが判明した。
【００１６】
一般式（Ｉ）で表される化合物はカルボキシ基を有するため、スルホン酸基を有する同様の化合物と比べて酸性度が低く、電解質によって不安定化されやすい。さらに、一般式（Ｉ）中のＲ1及びＲ2で表される基は、いずれも電子供与性基である。このため、一般式（Ｉ）で表される化合物は、無置換又は電子吸引性基を有する同様の化合物と比べて酸性度が低く、凝集しやすい。したがって、第１インク中の自己分散カーボンブラックが電解質の役割を果たし、第２インク中の一般式（Ｉ）で表される化合物が速やかに不安定化されたため、２次色画像の発色性が向上したものと推測される。
【００１７】
また、一般式（Ｉ）で表される化合物の酸性度が暗部の色再現範囲に及ぼす影響は、一般式（Ｉ）で表される化合物を含有する第２インクと、酸化処理された自己分散カーボンブラックを含有する第１インクとを併用した場合に顕著となることがわかった。この理由を本発明者らは以下のように推測している。
【００１８】
酸化処理された自己分散カーボンブラックは、化学的に表面修飾され、同程度のカルボキシ基量である自己分散カーボンブラックと比較して、普通紙への沈み込みが抑制されて表層に留まりやすい。これは、酸化処理された自己分散カーボンブラックの表面に存在するノニオン性の親水性基が、普通紙の主成分であるセルロースと水素結合を形成しやすいためであると考えられる。そして、記録媒体上で接触する第１インクに含まれる色材のカルボキシ基によって、第２インクの色材（一般式（Ｉ）で表される化合物）は不安定化されて凝集しやすくなる。したがって、第２インク中の色材がより記録媒体の表面上に残りやすくなり、分光特性が損なわれることなく維持される。さらに、第１インクと第２インクとの接触界面で第２インク中の色材が凝集すると、第１インクの色材（酸化処理された自己分散カーボンブラック）が凝集しやすくなる。このため、顔料の凝集体が島状に形成され、反射光が抑えられると考えられる。
【００１９】
＜インクセット＞
本発明のインクセットは、第１インク及び第２インクの組み合わせを有する。また、本発明のインクセットは、第１インク及び第２インク以外のインクをさらに有してもよい。本発明のインクセットは、インクジェット用のインクセットとして特に好適である。本発明のインクセットの形態としては、（ｉ）各インクをそれぞれ独立に収容した複数のインクカートリッジのセットや、（ii）各インクをそれぞれ独立に収容した複数のインク収容部を組み合わせて一体的に構成されたインクカートリッジなどがある。但し、本発明のインクセットは、第１インク及び第２インクを組み合わせて用いることができるように構成されていれば上記の（ｉ）及び（ii）の形態に限定されるものではない。以下、本発明のインクセットを構成する第１インク（ブラックインク）及び第２インク（イエローインク）に含有させる成分やインクの物性などについて詳細に説明する。
【００２０】
（第１インクの色材：自己分散カーボンブラック）
本発明のインクセットを構成する第１インクは、酸化処理された自己分散カーボンブラックを色材として含有する。自己分散カーボンブラックは、カーボンブラックの粒子表面にカルボキシ基などが直接結合しているものである。オゾンなどの酸化剤を用いてカーボンブラックを酸化処理すると、カーボンブラックの粒子表面に存在する炭素原子が酸化されてカルボキシ基などが生成する。このため、カーボンブラックの粒子表面にカルボキシ基が直接結合した自己分散カーボンブラックを得ることができる。
【００２１】
カーボンブラックの種類としては、例えば、ファーネスブラック、ランプブラック、アセチレンブラック、チャンネルブラックなどを挙げることができる。カーボンブラックとしては、インクジェット用のインクに使用可能なものをいずれも用いることができる。また、調色などの目的のために、自己分散カーボンブラックに加えてさらに染料などを併用してもよい。第１インク中の顔料の含有量（質量％）は、インク全質量を基準として、０．１質量％以上１５．０質量％以下であることが好ましく、１．０質量％以上１０．０質量％以下であることがさらに好ましい。第１インク中の顔料の含有量が１５．０質量％を超えると、第１インクと第２インクを併用して記録される２次色画像の発色性が低下する場合がある。
【００２２】
カーボンブラックの粒子表面にカルボキシ基が直接結合している自己分散カーボンブラックを色材として用いることで、第１インク中に色材を分散させるための分散剤の添加が不要となる、又は分散剤の添加量を少量とすることができる。カーボンブラックの酸化処理としては、オゾンや次亜塩素酸カリウムなどの酸化剤による酸化処理などを挙げることができる。なかでも、自己分散カーボンブラックは、オゾン酸化処理された自己分散カーボンブラックであることが好ましい。オゾン酸化処理された自己分散カーボンブラックを色材として用いると、酸化剤により処理された自己分散カーボンブラックを色材として用いた場合に比べて、記録される画像の光学濃度が高くなるために好ましい。酸化剤によってカーボンブラックを酸化処理すると、酸化剤に含まれる塩素のようなアニオン性物質がカーボンブラックの粒子表面に付着しやすい。アニオン性物質が粒子表面に付着した自己分散カーボンブラックは記録媒体へ沈み込みやすいため、記録される画像の光学濃度が低下する傾向にあると推測される。これに対して、オゾンによってカーボンブラックを酸化処理した場合には、アニオン性物質がカーボンブラックの粒子表面に付着しないため、記録される画像の光学濃度が高くなると考えられる。
【００２３】
自己分散カーボンブラックの表面に化学的に直接結合している官能基としては、例えば、カルボン酸基、ヒドロキシ基、及びラクトン基などを挙げることができる。また、上記官能基のうち、カルボキシ基のカウンターイオンとしては、アルカリ金属イオン、アンモニウムイオン、有機アンモニウムイオンなどが好ましい。
【００２４】
［カルボキシ基の量］
自己分散カーボンブラックの表面に存在するカルボキシ基の量は、０．１５ｍｍｏｌ／ｇ以上０．４０ｍｍｏｌ／ｇ以下であることが好ましい。カルボキシ基の量が０．１５ｍｍｏｌ／ｇ未満であると自己分散カーボンブラックの分散安定性が低下しやすく、記録品質が低下することがある。一方、カルボキシ基の量が０．４０ｍｍｏｌ／ｇ超であると、自己分散カーボンブラックの親水性が高くなりすぎてしまう。このため、自己分散カーボンブラックが記録媒体に沈み込みやすくなり、画像の光学濃度が低下することがある。なお、自己分散カーボンブラックの表面に存在するカルボキシ基の量は、自己分散カーボンブラックの固形分１ｇ当たりのカルボキシ基のミリモル数である。
【００２５】
［ヒドロキシ基の量］
自己分散カーボンブラックの表面に存在するヒドロキシ基の量は、０．０５ｍｍｏｌ／ｇ以上０．２０ｍｍｏｌ／ｇ以下であることが好ましい。ヒドロキシ基の量が０．０５ｍｍｏｌ／ｇ未満であると、自己分散カーボンブラックと記録媒体中のセルロースとの水素結合性が不十分となって自己分散カーボンブラックが記録媒体に沈み込みやすくなるため、画像の光学濃度が低下する傾向にある。一方、ヒドロキシ基の量が０．２０ｍｍｏｌ／ｇ超であると、記録媒体上における自己分散カーボンブラックの粒子同士による凝集体の形成が阻害されて自己分散カーボンブラックが記録媒体に沈み込みやすくなるため、画像の光学濃度が低下する傾向にある。なお、自己分散カーボンブラックの表面に存在するヒドロキシ基の量は、自己分散カーボンブラックの固形分１ｇ当たりのヒドロキシ基のミリモル数である。
【００２６】
［カルボキシ基の量及びヒドロキシ基の量の測定方法：選択的中和法］
従来、自己分散顔料の官能基量の測定方法としては、アニオン性基のカウンターイオンの濃度を測定してアニオン性基の量に換算する方法や、滴定法により分散状態の顔料の粒子表面のアニオン性基の量を測定する方法が利用されている。しかし、これらの方法では、顔料の粒子表面に結合したノニオン性の親水性基であるヒドロキシ基の量を測定することはできない。
【００２７】
これに対して、選択的中和法によれば、自己分散顔料の表面に存在するカルボキシ基の量とヒドロキシ基の量のいずれも測定することができる。選択的中和法は、アニオン性の官能基やノニオン性の官能基の解離定数がそれぞれ異なることを利用し、強度が異なる塩基性物質によって中和滴定して顔料の粒子表面に導入されている官能基を定量する方法である。前述の通り、本発明のインクセットを構成する第１インクは自己分散カーボンブラックの表面特性を利用している。このため、従来の方法ではなく、選択的中和法によって測定される官能基の量により自己分散カーボンブラックの表面特性を規定することが適している。
【００２８】
以下、顔料分散液を試料とし、選択的中和法によって自己分散カーボンブラックの表面に存在する官能基の量を測定する方法について説明する。なお、顔料分散液ではなく、インクから適切な方法により分取した自己分散カーボンブラックを水に分散させたものを試料として官能基の量を測定することも勿論可能である。
【００２９】
（１）顔料分散液に酸を加えてｐＨを２以下とし、常温（２５℃）で２４時間撹拌して顔料を沈殿させる。
（２）遠心分離により上澄みの液体を除去して、顔料（固形分）を採取する。
（３）採取した顔料を十分に乾燥させた後、メノウ乳鉢を用いてすり潰して試料を調製する。
（４）秤量した試料に濃度既知の塩基性化合物の水溶液を所定量添加して２４時間撹拌し、測定対象である官能基を中和する（選択的中和）。
（５）遠心分離により上澄みの液体を採取して、中和に使用されなかった塩基性化合物を、濃度既知の酸を用いて中和滴定して定量する。
（６）上記（４）の選択的中和に用いたものと同量の濃度既知の塩基性化合物の水溶液（ブランク）を、濃度既知の酸を用いて中和滴定して定量する。
（７）上記（６）と（５）の定量値の差分を選択的中和で使用した塩基性化合物量（ｍｍｏｌ）とし、顔料１ｇの値に換算して、測定対象である官能基の量（ｍｍｏｌ／ｇ）を求める。
【００３０】
顔料の選択的中和法においては、塩基性化合物として炭酸水素ナトリウムを用いるとカルボキシ基の量を定量することができる。また、塩基性化合物として炭酸ナトリウムを用いると、カルボキシ基の量及びラクトン基の量の合計を定量することができる。さらに、塩基性化合物として水酸化ナトリウムを用いると、カルボキシ基の量、ラクトン基の量、及びヒドロキシ基の量の合計を定量することができる。したがって、ヒドロキシ基の定量値は、水酸化ナトリウムによる定量値（カルボキシ基量＋ラクトン基量＋ヒドロキシ基量）から、炭酸ナトリウムによる定量値（カルボキシ基量＋ラクトン基量）を引いた値となる。
【００３１】
（第２インクの色材：一般式（Ｉ）で表される化合物）
本発明のインクセットを構成する第２インクは、下記一般式（Ｉ）で表される化合物を色材（染料）として含有する。第２インク中の一般式（Ｉ）で表される化合物の含有量（質量％）は、インク全質量を基準として、０．１質量％以上１０．０質量％以下であることが好ましく、０．１質量％以上５．０質量％以下であることがさらに好ましい。一般式（Ｉ）で表される化合物の含有量が０．１質量％未満であると、画像の発色性や耐候性が不十分になる場合がある。一方、一般式（Ｉ）で表される化合物の含有量が１０．０質量％を超えると、インクの耐固着性などの特性が不十分になる場合がある。
【００３２】
2016125003.tif 000003
（前記一般式（Ｉ）中、Ｒ1は、アルキル基、アルコキシ基、又はアリール基を表し、Ｒ2は、−ＯＲ3又は−ＮＨＲ4を表す（Ｒ3及びＲ4は、水素原子又は１価の基を表す）。Ｒ5は、２価のヘテロ環基を表し、Ｒ6は、２価の連結基を表し、ｍは０又は１を表し、Ｍは、水素原子、アルカリ金属、アンモニウム、又は有機アンモニウムを表し、ｎは１又は２を表す）
【００３３】
一般式（Ｉ）中のＲ1は、アルキル基、アルコキシ基、又はアリール基を表す。アルキル基には、置換又は無置換のアルキル基が含まれる。置換又は無置換のアルキル基としては、炭素数１乃至３０のアルキル基が好ましい。置換基としては、ヒドロキシ基、アルコキシ基、シアノ基、ハロゲン原子、スルホン酸基（塩型でもよい）、カルボキシ基（塩型でもよい）が好ましい。アルキル基としては、メチル、エチル、ブチル、ｔ−ブチル、ｎ−オクチル、エイコシル、２−クロロエチル、ヒドロキシエチル、シアノエチル、４−スルホブチル、４−カルボキシブチルなどを挙げることができる。
【００３４】
アルコキシ基には、置換又は無置換のアルコキシ基が含まれる。置換又は無置換のアルコキシ基としては、炭素数１乃至３０のアルコキシ基が好ましい。アルコキシ基としては、メトキシ、エトキシ、イソプロポキシ、ｎ−オクチルオキシ、メトキシエトキシ、ヒドロキシエトキシ、３−カルボキシプロポキシなどを挙げることができる。
【００３５】
アリール基には、置換又は無置換のアリール基が含まれる。置換又は無置換のアリール基としては、炭素数６乃至３０のアリール基が好ましい。アリール基としては、フェニル、ｐ−トリル、ナフチル、ｍ−クロロフェニル、ｏ−ヘキサデカノイルアミノフェニルなどを挙げることができる。
【００３６】
一般式（Ｉ）中のＲ2は、−ＯＲ3又は−ＮＨＲ4を表す。また、Ｒ3及びＲ4は、水素原子又は１価の基を表す。１価の基としては、ハロゲン原子、アルキル基、シクロアルキル基、アラルキル基、アルケニル基、アルキニル基、アリール基、ヘテロ環基、シアノ基、ヒドロキシ基、ニトロ基、カルボキシ基（塩型でもよい）、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アルキルアミノ基、アニリノ基、アシルアミノ基、アミノカルボニルアミノ基、アルコキシカルボニルアミノ基、アリールオキシカルボニルアミノ基、スルファモイルアミノ基、アルキルスルホニルアミノ基、アリールスルホニルアミノ基、メルカプト基、アルキルチオ基、アリールチオ基、ヘテロ環チオ基、スルファモイル基、スルホン酸基（塩型でもよい）、アルキルスルフィニル基、アリールスルフィニル基、アルキルスルホニル基、アリールスルホニル基、アシル基、アリールオキシカルボニル基、アルコキシカルボニル基、カルバモイル基、イミド基、ホスフィノ基、ホスフィニル基、ホスフィニルオキシ基、ホスフィニルアミノ基、シリル基を挙げることができる。
【００３７】
ハロゲン原子としては、フッ素原子、塩素原子、臭素原子、ヨウ素原子などを挙げることができる。
【００３８】
アルキル基には、置換又は無置換のアルキル基が含まれる。置換又は無置換のアルキル基としては、炭素数１乃至３０のアルキル基が好ましい。置換基としては、ヒドロキシ基、アルコキシ基、シアノ基、ハロゲン原子、スルホン酸基（塩型でもよい）、カルボキシ基（塩型でもよい）が好ましい。アルキル基としては、メチル、エチル、ブチル、ｔ−ブチル、ｎ−オクチル、エイコシル、２−クロロエチル、ヒドロキシエチル、シアノエチル、４−スルホブチル、４−カルボキシブチルなどを挙げることができる。
【００３９】
シクロアルキル基には、置換又は無置換のシクロアルキル基が含まれる。置換又は無置換のシクロアルキル基としては、炭素数５乃至３０のシクロアルキル基が好ましい。シクロアルキル基としては、シクロヘキシル、シクロペンチル、４−ｎ−ドデシルシクロヘキシルなどを挙げることができる。
【００４０】
アラルキル基には、置換又は無置換のアラルキル基が含まれる。置換又は無置換のアラルキル基としては、炭素数７乃至３０のアラルキル基が好ましい。アラルキル基としては、ベンジル、２−フェネチルなどを挙げることができる。
【００４１】
アルケニル基には、直鎖、分岐、又は環状の、置換又は無置換のアルケニル基が含まれる。置換又は無置換のアルケニル基としては、炭素数２乃至３０のアルケニル基が好ましい。アルケニル基としては、ビニル、アリル、プレニル、ゲラニル、オレイル、２−シクロペンテン−１−イル、２−シクロヘキセン−１−イルなどを挙げることができる。
【００４２】
アルキニル基には、置換又は無置換のアルキニル基が含まれる。置換又は無置換のアルキニル基としては、炭素数２乃至３０のアルキニル基が好ましい。アルキニル基としては、エチニル、プロパルギルなどを挙げることができる。
【００４３】
アリール基には、置換又は無置換のアリール基が含まれる。置換又は無置換のアリール基としては、炭素数６乃至３０のアリール基が好ましい。アリール基としては、フェニル、ｐ−トリル、ナフチル、ｍ−クロロフェニル、ｏ−ヘキサデカノイルアミノフェニルなどを挙げることができる。
【００４４】
ヘテロ環基には、置換又は無置換の、芳香族又は非芳香族のヘテロ環化合物から１個の水素原子を取り除いた１価の基が含まれる。置換又は無置換のヘテロ環基としては、炭素数３乃至３０の、５員又は６員の芳香族ヘテロ環基が好ましい。このような芳香族ヘテロ環基としては、２−フリル、２−チエニル、２−ピリミジニル、２−ベンゾチアゾリルなどを挙げることができる。
【００４５】
アルコキシ基には、置換又は無置換のアルコキシ基が含まれる。置換又は無置換のアルコキシ基としては、炭素数１乃至３０のアルコキシ基が好ましい。アルコキシ基としては、メトキシ、エトキシ、イソプロポキシ、ｎ−オクチルオキシ、メトキシエトキシ、ヒドロキシエトキシ、３−カルボキシプロポキシなどを挙げることができる。
【００４６】
アリールオキシ基には、置換又は無置換のアリールオキシ基が含まれる。置換又は無置換のアリールオキシ基としては、炭素数６乃至３０のアリールオキシ基が好ましい。アリールオキシ基としては、フェノキシ、２−メチルフェノキシ、４−ｔ−ブチルフェノキシ、３−ニトロフェノキシ、２−テトラデカノイルアミノフェノキシなどを挙げることができる。
【００４７】
シリルオキシ基としては、炭素数３乃至２０のシリルオキシ基が好ましい。シリルオキシ基としては、トリメチルシリルオキシ、ｔ−ブチルジメチルシリルオキシなどを挙げることができる。
【００４８】
ヘテロ環オキシ基には、置換又は無置換のヘテロ環オキシ基が含まれる。置換又は無置換のヘテロ環オキシ基としては、炭素数２乃至３０のヘテロ環オキシ基が好ましい。ヘテロ環オキシ基としては、１−フェニルテトラゾール−５−オキシ、２−テトラヒドロピラニルオキシなどを挙げることができる。
【００４９】
アシルオキシ基としては、ホルミルオキシ基、炭素数２乃至３０の置換又は無置換のアルキルカルボニルオキシ基、炭素数６乃至３０の置換又は無置換のアリールカルボニルオキシ基が好ましい。アシルオキシ基としては、ホルミルオキシ、アセチルオキシ、ピバロイルオキシ、ステアロイルオキシ、ベンゾイルオキシ、ｐ−メトキシフェニルカルボニルオキシなどを挙げることができる。
【００５０】
カルバモイルオキシ基には、置換又は無置換のカルバモイルオキシ基が含まれる。置換又は無置換のカルバモイルオキシ基としては、炭素数１乃至３０のカルバモイルオキシ基が好ましい。カルバモイルオキシ基としては、Ｎ，Ｎ−ジメチルカルバモイルオキシ、Ｎ，Ｎ−ジエチルカルバモイルオキシ、モルホリノカルボニルオキシ、Ｎ，Ｎ−ジ−ｎ−オクチルアミノカルボニルオキシ、Ｎ−ｎ−オクチルカルバモイルオキシなどを挙げることができる。
【００５１】
アルコキシカルボニルオキシ基には、置換又は無置換のアルコキシカルボニルオキシ基が含まれる。置換又は無置換のアルコキシカルボニルオキシ基としては、炭素数２乃至３０のアルコキシカルボニルオキシ基が好ましい。アルコキシカルボニルオキシ基としては、メトキシカルボニルオキシ、エトキシカルボニルオキシ、ｔ−ブトキシカルボニルオキシ、ｎ−オクチルカルボニルオキシなどを挙げることができる。
【００５２】
アリールオキシカルボニルオキシ基には、置換又は無置換のアリールオキシカルボニルオキシ基が含まれる。置換又は無置換のアリールオキシカルボニルオキシ基としては、炭素数７乃至３０のアリールオキシカルボニルオキシ基が好ましい。アリールオキシカルボニルオキシ基としては、フェノキシカルボニルオキシ、ｐ−メトキシフェノキシカルボニルオキシ、ｐ−（ｎ−ヘキサデシルオキシ）フェノキシカルボニルオキシなどを挙げることができる。
【００５３】
アルキルアミノ基には、置換又は無置換のアルキルアミノ基が含まれる。置換又は無置換のアルキルアミノ基としては、炭素数１乃至３０のアルキルアミノ基が好ましい。アルキルアミノ基としては、メチルアミノ、ジメチルアミノなどを挙げることができる。
【００５４】
アニリノ基には、置換又は無置換のアニリノ基が含まれる。置換又は無置換のアニリノ基としては、炭素数６乃至３０のアニリノ基が好ましい。アニリノ基としては、アニリノ、Ｎ−メチルアニリノ、ジフェニルアミノなどを挙げることができる。
【００５５】
アシルアミノ基としては、ホルミルアミノ基、炭素数１乃至３０の置換又は無置換のアルキルカルボニルアミノ基、炭素数６乃至３０の置換又は無置換のアリールカルボニルアミノ基が好ましい。アシルアミノ基としては、ホルミルアミノ、アセチルアミノ、ピバロイルアミノ、ラウロイルアミノ、ベンゾイルアミノ、３，４，５−トリ−ｎ−オクチルオキシフェニルカルボニルアミノなどを挙げることができる。
【００５６】
アミノカルボニルアミノ基には、置換又は無置換のアミノカルボニルアミノ基が含まれる。置換又は無置換のアミノカルボニルアミノ基としては、炭素数１乃至３０のアミノカルボニルアミノ基が好ましい。アミノカルボニルアミノ基としては、カルバモイルアミノ、Ｎ，Ｎ−ジメチルアミノカルボニルアミノ、Ｎ，Ｎ−ジエチルアミノカルボニルアミノ、モルホリノカルボニルアミノなどを挙げることができる。
【００５７】
アルコキシカルボニルアミノ基には、置換又は無置換のアルコキシカルボニルアミノ基が含まれる。置換又は無置換のアルコキシカルボニルアミノ基としては、炭素数２乃至３０のアルコキシカルボニルアミノ基が好ましい。アルコキシカルボニルアミノ基としては、メトキシカルボニルアミノ、エトキシカルボニルアミノ、ｔ−ブトキシカルボニルアミノ、ｎ−オクタデシルオキシカルボニルアミノ、Ｎ−メチル−メトキシカルボニルアミノなどを挙げることができる。
【００５８】
アリールオキシカルボニルアミノ基には、置換又は無置換のアリールオキシカルボニルアミノ基が含まれる。置換又は無置換のアリールオキシカルボニルアミノ基としては、炭素数７乃至３０のアリールオキシカルボニルアミノ基が好ましい。アリールオキシカルボニルアミノ基としては、フェノキシカルボニルアミノ、ｐ−クロロフェノキシカルボニルアミノ、ｍ−（ｎ−オクチルオキシ）フェノキシカルボニルアミノなどを挙げることができる。
【００５９】
スルファモイルアミノ基には、置換又は無置換のスルファモイルアミノ基が含まれる。置換又は無置換のスルファモイルアミノ基としては、炭素数０乃至３０のスルファモイルアミノ基が好ましい。スルファモイルアミノ基としては、スルファモイルアミノ、Ｎ，Ｎ−ジメチルアミノスルホニルアミノ、Ｎ，Ｎ−オクチルアミノスルホニルアミノなどを挙げることができる。
【００６０】
アルキルスルホニルアミノ基には、置換又は無置換のアルキルスルホニルアミノ基が含まれる。置換又は無置換のアルキルスルホニルアミノ基としては、炭素数１乃至３０のアルキルスルホニルアミノ基が好ましい。アルキルスルホニルアミノ基としては、メチルスルホニルアミノ、ブチルスルホニルアミノなどを挙げることができる。
【００６１】
アリールスルホニルアミノ基には、炭素数６乃至３０の置換又は無置換のアリールスルホニルアミノ基が含まれる。置換又は無置換のアリールスルホニルアミノ基としては、炭素数６乃至３０のアリールスルホニルアミノ基が好ましい。アリールスルホニルアミノ基としては、フェニルスルホニルアミノ、２，３，５−トリクロロフェニルスルホニルアミノ、ｐ−メチルフェニルスルホニルアミノなどを挙げることができる。
【００６２】
アルキルチオ基には、置換又は無置換のアルキルチオ基が含まれる。置換又は無置換のアルキルチオ基としては、炭素数１乃至３０のアルキルチオ基が好ましい。アルキルチオ基としては、メチルチオ、エチルチオ、ｎ−ヘキサデシルチオなどを挙げることができる。
【００６３】
アリールチオ基には、置換又は無置換のアリールチオ基が含まれる。置換又は無置換のアリールチオ基としては、炭素数６乃至３０のアリールチオ基が好ましい。アリールチオ基としては、フェニルチオ、ｐ−クロロフェニルチオ、ｍ−メトキシフェニルチオなどを挙げることができる。
【００６４】
ヘテロ環チオ基には、置換又は無置換のヘテロ環チオ基が含まれる。置換又は無置換のヘテロ環チオ基としては、炭素数２乃至３０のヘテロ環チオ基が好ましい。ヘテロ環チオ基としては、２−ベンゾチアゾリルチオ、１−フェニルテトラゾール−５−イルチオなどを挙げることができる。
【００６５】
スルファモイル基には、置換又は無置換のスルファモイル基が含まれる。置換又は無置換のスルファモイル基としては、炭素数０乃至３０のスルファモイル基が好ましい。スルファモイル基としては、Ｎ−エチルスルファモイル、Ｎ−（３−ドデシルオキシプロピル）スルファモイル、Ｎ，Ｎ−ジメチルスルファモイル、Ｎ−アセチルスルファモイル、Ｎ−ベンゾイルスルファモイル、Ｎ−（Ｎ’−フェニルカルバモイル）スルファモイル）などを挙げることができる。
【００６６】
アルキルスルフィニル基には、置換又は無置換のアルキルスルフィニル基が含まれる。置換又は無置換のアルキルスルフィニル基としては、炭素数１乃至３０のアルキルスルフィニル基が好ましい。アルキルスルフィニル基としては、メチルスルフィニル、エチルスルフィニルなどを挙げることができる。
【００６７】
アリールスルフィニル基には、置換又は無置換のアリールスルフィニル基が含まれる。置換又は無置換のアリールスルフィニル基としては、炭素数６乃至３０のアリールスルフィニル基が好ましい。アリールスルフィニル基としては、フェニルスルフィニル、ｐ−メチルフェニルスルフィニルなどを挙げることができる。
【００６８】
アルキルスルホニル基には、置換又は無置換のアルキルスルホニル基が含まれる。置換又は無置換のアルキルスルホニル基としては、炭素数１乃至３０のアルキルスルホニル基が好ましい。アルキルスルホニル基としては、メチルスルホニル、エチルスルホニルなどを挙げることができる。
【００６９】
アリールスルホニル基には、置換又は無置換のアリールスルホニル基が含まれる。置換又は無置換のアリールスルホニル基としては、炭素数６乃至３０のアリールスルホニル基が好ましい。アリールスルホニル基としては、フェニルスルホニル、ｐ−メチルフェニルスルホニルなどを挙げることができる。
【００７０】
アシル基としては、ホルミル基、炭素数２乃至３０の置換又は無置換のアルキルカルボニル基、炭素数７乃至３０の置換又は無置換のアリールカルボニル基、炭素数４乃至３０の置換又は無置換の、炭素原子でカルボニル基と結合しているヘテロ環カルボニル基が好ましい。アシル基としては、アセチル、ピバロイル、２−クロロアセチル、ステアロイル、ベンゾイル、ｐ−（ｎ−オクチルオキシ）フェニルカルボニル、２―ピリジルカルボニル、２―フリルカルボニルなどを挙げることができる。
【００７１】
アリールオキシカルボニル基には、置換又は無置換のアリールオキシカルボニル基が含まれる。置換又は無置換のアリールオキシカルボニル基としては、炭素数７乃至３０のアリールオキシカルボニル基が好ましい。アリールオキシカルボニル基としては、フェノキシカルボニル、ｏ−クロロフェノキシカルボニル、ｍ−ニトロフェノキシカルボニル、ｐ−（ｔ−ブチル）フェノキシカルボニルなどを挙げることができる。
【００７２】
アルコキシカルボニル基には、置換又は無置換のアルコキシカルボニル基が含まれる。置換又は無置換のアルコキシカルボニル基としては、炭素数２乃至３０のアルコキシカルボニル基が好ましい。アルコキシカルボニル基としては、メトキシカルボニル、エトキシカルボニル、ｔ−ブトキシカルボニル、ｎ−オクタデシルオキシカルボニルなどを挙げることができる。
【００７３】
カルバモイル基には、置換又は無置換のカルバモイル基が含まれる。置換又は無置換のカルバモイル基としては、炭素数１乃至３０のカルバモイル基が好ましい。カルバモイル基としては、カルバモイル、Ｎ−メチルカルバモイル、Ｎ，Ｎ−ジメチルカルバモイル、Ｎ，Ｎ−ジ−ｎ−オクチルカルバモイル、Ｎ−（メチルスルホニル）カルバモイルなどを挙げることができる。
【００７４】
イミド基には、置換又は無置換のイミド基が含まれる。置換又は無置換のイミド基としては、炭素数４乃至３０のイミド基が好ましい。イミド基としては、スクシンイミド、フタルイミド、グルタルイミド、ヘキサンイミドなどを挙げることができる。
【００７５】
ホスフィノ基には、置換又は無置換のホスフィノ基が含まれる。置換又は無置換のホスフィノ基としては、炭素数２乃至３０のホスフィノ基が好ましい。ホスフィノ基としては、ジメチルホスフィノ、ジフェニルホスフィノ、メチルフェノキシホスフィノなどを挙げることができる。
【００７６】
ホスフィニル基には、置換又は無置換のホスフィニル基が含まれる。置換又は無置換のホスフィニル基としては、炭素数２乃至３０のホスフィニル基が好ましい。ホスフィニル基としては、ホスフィニル、ジオクチルオキシホスフィニル、ジエトキシホスフィニルなどを挙げることができる。
【００７７】
ホスフィニルオキシ基には、置換又は無置換のホスフィニルオキシ基が含まれる。置換又は無置換のホスフィニルオキシ基としては、炭素数２乃至３０のホスフィニルオキシ基が好ましい。ホスフィニルオキシ基としては、ジフェノキシホスフィニルオキシ、ジオクチルオキシホスフィニルオキシなどを挙げることができる。
【００７８】
ホスフィニルアミノ基には、置換又は無置換のホスフィニルアミノ基が含まれる。置換又は無置換のホスフィニルアミノ基としては、炭素数２乃至３０のホスフィニルアミノ基が好ましい。ホスフィニルアミノ基としては、ジメトキシホスフィニルアミノ、ジメチルアミノホスフィニルアミノなどを挙げることができる。
【００７９】
シリル基には、置換又は無置換のシリル基が含まれる。置換又は無置換のシリル基としては、炭素数３乃至３０のシリル基の好ましい。シリル基としては、トリメチルシリル、ｔ−ブチルジメチルシリル、フェニルジメチルシリルなどを挙げることができる。
【００８０】
上述の１価の基の中で水素原子を有するものは、この水素原子が前述の１価の基で置換されていてもよい。そのような置換基としては、アルキルカルボニルアミノスルホニル基、アリールカルボニルアミノスルホニル基、アルキルスルホニルアミノカルボニル基、アリールスルホニルアミノカルボニル基などが挙げられる。その具体例としては、メチルスルホニルアミノカルボニル、ｐ−メチルフェニルスルホニルアミノカルボニル、アセチルアミノスルホニル、ベンゾイルアミノスルホニル基などを挙げることができる。
【００８１】
一般式（Ｉ）中のＲ2は、−ＯＨ又は−ＮＨ2が好ましく、−ＮＨ2がさらに好ましい。
【００８２】
一般式（Ｉ）中のＲ5は、２価のヘテロ環基を表す。Ｒ5で表される２価のヘテロ環基は５員環又は６員環であることが好ましい。これらの２価のヘテロ環はさらに縮環していてもよく、芳香族ヘテロ環であっても、非芳香族ヘテロ環であってもよい。一般的に、ヘテロ環基はＩ型とＩＩ型に分類することができる。Ｉ型のヘテロ環基は、酸性核として知られている。Ｉ型のヘテロ環基としては、５−ピラゾロン環、５−アミノピラゾール環、オキサゾロン環、バルビツール酸環、ピリドン環、ローダニン環、ピラゾリジンジオン環、ピラゾロピリドン環、メルドラム酸環などを挙げることができる。なかでも、５−ピラゾロン環、及び５−アミノピラゾール環が好ましい。ＩＩ型のヘテロ環基は、塩基性核として知られている。ＩＩ型のヘテロ環基としては、ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどを挙げることができる。なかでも、芳香族ヘテロ環基が好ましく、ピリジン、ピラジン、ピリミジン、ピリダジン、トリアジン、ピラゾール、イミダゾール、ベンズイミダゾール、トリアゾール、チアゾール、ベンゾチアゾール、イソチアゾール、ベンズイソチアゾール、チアジアゾールがさらに好ましく、耐光性の観点からチアジアゾールが特に好ましい。２価のヘテロ環基は置換基を有していてもよい。置換基としては、前述の１価の基として例示したものと、好ましいものを含めて同様のものを挙げることができる。
【００８３】
一般式（Ｉ）中のＲ6は２価の連結基を表し、ｍは０又は１を表す。ｍが０である場合、２つのＲ5が互いに結合した構造であることを意味する。Ｒ6で表される２価の連結基としては、メチレン、エチレン、プロピレン、ブチレン、ペンチレンなどのアルキレン基；エテニレン、プロぺニレンなどのアルケニレン基；エチニレン、プロピニレンなどのアルキニレン基；フェニレン、ナフチレンなどのアリーレン基；６−クロロ−１，３，５−トリアジン−２，４−ジイル基、ピリミジン−２，４−ジイル基、キノキサリン−２，３−ジイル基などの２価のヘテロ環基；−Ｏ−；−ＣＯ−；−ＮＲ7−（Ｒ7は水素原子、アルキル基又はアリール基）；−Ｓ−；−ＳＯ2−；−ＳＯ−；及びこれらの組み合わせなどを挙げることができる。
【００８４】
アルキレン基、アルケニレン基、アルキニレン基、アリーレン基、２価のヘテロ環基、Ｒ7で表されるアルキル基及びアリール基は、いずれも置換基を有していてもよい。置換基としては、前述の１価の基として例示したものと、好ましいものを含めて同様のものを挙げることができる。Ｒ7で表されるアルキル基及びアリール基としては、前述の１価の基として例示したものと、好ましいものを含めて同様のものを挙げることができる。
【００８５】
一般式（Ｉ）中のＲ6は、炭素数１０以下のアルキレン基、炭素数１０以下のアルケニレン基、炭素数１０以下のアルキニレン基、炭素数６以上１０以下のアリーレン基、２価のヘテロ環基、−Ｏ−、−Ｓ−、又はこれらの組み合わせであることがさらに好ましい。これらのなかでも、−Ｓ−とアルキレン基との組み合わせであることが、一般式（Ｉ）で表される化合物の安定性の観点から特に好ましい。
【００８６】
Ｒ6で表される２価の連結基の総炭素数は、０乃至５０であることが好ましく、０乃至３０であることがさらに好ましく、０乃至１０であることが特に好ましい。
【００８７】
一般式（Ｉ）中のＭは、水素原子、アルカリ金属、アンモニウム、又は有機アンモニウムを表し、ｎは１又は２を表す。アルカリ金属としては、リチウム、ナトリウム、カリウムなどを挙げることができる。有機アンモニウムとしては、メチルアミン、エチルアミンなどの炭素数１以上３以下のアルキルアミン類；モノエタノールアミン、ジエタノールアミン、トリエタノールアミン、モノイソプロパノールアミン、ジイソプロパノールアミン、トリイソプロパノールアミンなどの炭素数１以上４以下のモノ、ジ又はトリアルカノールアミン類などの有機アンモニウムなどを挙げることができる。なお、一般式（Ｉ）で表される化合物が、置換基としてイオン性基を有する場合にも、塩型であってもよく、この場合のカウンターイオンとしては、上述のカチオンと同様のものを挙げることができる。
【００８８】
一般式（Ｉ）で表される化合物の好適例を遊離酸型で表すと、以下に示す例示化合物１〜２９を挙げることができる。勿論、本発明においては、一般式（Ｉ）の構造及びその定義に包含されるものであれば、以下に示す例示化合物に限定されない。本発明においては、暗部の色再現範囲の観点から、以下に示す例示化合物のなかでも例示化合物２が好ましい。
【００８９】
2016125003.tif 000004
【００９０】
2016125003.tif 000005
【００９１】
2016125003.tif 000006
【００９２】
2016125003.tif 000007
【００９３】
2016125003.tif 000008
【００９４】
2016125003.tif 000009
【００９５】
2016125003.tif 000010
【００９６】
2016125003.tif 000011
【００９７】
2016125003.tif 000012
【００９８】
2016125003.tif 000013
【００９９】
2016125003.tif 000014
【０１００】
2016125003.tif 000015
【０１０１】
2016125003.tif 000016
【０１０２】
2016125003.tif 000017
【０１０３】
2016125003.tif 000018
【０１０４】
2016125003.tif 000019
【０１０５】
2016125003.tif 000020
【０１０６】
2016125003.tif 000021
【０１０７】
2016125003.tif 000022
【０１０８】
2016125003.tif 000023
【０１０９】
2016125003.tif 000024
【０１１０】
2016125003.tif 000025
【０１１１】
2016125003.tif 000026
【０１１２】
2016125003.tif 000027
【０１１３】
2016125003.tif 000028
【０１１４】
2016125003.tif 000029
【０１１５】
2016125003.tif 000030
【０１１６】
2016125003.tif 000031
【０１１７】
2016125003.tif 000032
【０１１８】
（水性媒体）
本発明のインクセットを構成する各インクは、水、又は水及び水溶性有機溶剤の混合溶媒である水性媒体を含有する水性インクである。水は、脱イオン水（イオン交換水）を用いることが好ましい。インク中の水の含有量（質量％）は、インク全質量を基準として、１０．０質量％以上９０．０質量％以下であることが好ましい。
【０１１９】
水溶性有機溶剤は、水溶性であれば特に制限はなく、アルコール、多価アルコール、ポリグリコール、グリコールエーテル、含窒素極性溶媒、含硫黄極性溶媒などを用いることができる。インク中の水溶性有機溶剤の含有量（質量％）は、インク全質量を基準として、５．０質量％以上９０．０質量％以下、さらには１０．０質量％以上５０．０質量％以下であることが好ましい。
【０１２０】
（その他の添加剤）
本発明のインクセットを構成する各インクには、上記成分の他に必要に応じて、トリメチロールプロパン、トリメチロールエタンなどの多価アルコール類；尿素やその誘導体などの常温で固体の水溶性有機化合物を含有させてもよい。さらに、本発明のインクセットを構成する各インクには、必要に応じて、界面活性剤、ｐＨ調整剤、防錆剤、防腐剤、防黴剤、酸化防止剤、還元防止剤、蒸発促進剤、キレート化剤、及び水溶性樹脂などの種々の添加剤を含有させてもよい。
【０１２１】
第１インク及び第２インクには、界面活性剤をそれぞれ含有させることが好ましい。各インク中の界面活性剤の含有量（質量％）は、インク全質量を基準として、０．０５質量％以上２．０質量％以下であることが好ましい。第１インクには、アセチレングリコール系、フッ素系、シリコーン系、ポリオキシエチレンアルキルエーテル系などの界面活性剤を含有させることが好ましい。また、第２インクには、アセチレングリコール系の界面活性剤を含有させることが好ましい。なかでも、第２インクには、水性媒体への溶解性に優れるため、アセチレングリコールのエチレンオキサイド付加物を含有させることが特に好ましい。
【０１２２】
（インクの物性）
本発明のインクセットを構成する各インクの２５℃における静的表面張力は、１０ｍＮ／ｍ以上６０ｍＮ／ｍ以下であることが好ましい。また、２０ｍＮ／ｍ以上６０ｍＮ／ｍ以下であることがさらに好ましく、３０ｍＮ／ｍ以上４０ｍＮ／ｍ以下であることが特に好ましい。本発明のインクセットを構成する各インクは、その表面張力を上記した範囲内とすることで、インクジェット方式に適用した際に吐出口近傍の濡れによる吐出ヨレ（インクの着弾点のズレ）などの発生を有効に抑制することが可能となる。インクの表面張力は、インク中の界面活性剤などの含有量を適宜設定することで調整することができる。また、本発明のインクセットを構成する各インクは、インクジェット記録装置に適用する際に良好な吐出特性が得られるよう、所望のｐＨに調整することが好ましい。本発明のインクセットを構成する各インクの２５℃における粘度は、１．０ｍＰａ・ｓ以上５．０ｍＰａ・ｓ以下であることが好ましい。
【０１２３】
＜インクカートリッジ＞
インクカートリッジは、インクと、このインクを収容するインク収容部とを備える。そして、インク収容部に収容されているインクが、上記で説明した本発明のインクセットを構成する第１インク及び第２インクの少なくとも１種であることが好ましい。なお、１種のインクを収容するインクカートリッジを、本発明のインクセットを構成する２種のインクに対応するように２つ組み合わせてもよく、１つのインクカートリッジ内に上記２種のインクを個別に収容するように構成してもよい。
【０１２４】
インクカートリッジとしては、インク収容部が、負圧によりインクを含浸した状態で保持する負圧発生部材を収容する負圧発生部材収容室、及び負圧発生部材により含浸されない状態でインクを収容するインク収容室で構成されるものを挙げることができる。また、上記のようなインク収容室を持たず、インクの全量を負圧発生部材により含浸した状態で保持する構成や、負圧発生部材を持たず、インクの全量を負圧発生部材により含浸されない状態で収容する構成のインク収容部としてもよい。さらに、インク収容部と記録ヘッドとを有するように構成された形態のインクカートリッジとしてもよい。
【０１２５】
＜インクジェット記録方法及びインクジェット記録装置＞
本発明のインクジェット記録方法は、上記で説明した本発明のインクセットを構成する各インクをインクジェット方式の記録ヘッドから吐出して記録媒体に画像を記録する方法である。また、インクジェット記録装置は、インクを収容するインク収容部と、インクを吐出するための記録ヘッドとを備える。そして、インク収容部に収容されているインクが、上記で説明した本発明のインクセットを構成する第１インク及び第２インクの少なくとも１種であることが好ましい。本発明のインクセットを用いること以外、インクジェット記録方法の工程やインクジェット記録装置の構成は公知のものとすればよい。
【０１２６】
本発明のインクセットを構成する各インクを用いて画像を記録する記録媒体としては一般的なインクジェット用に使用可能ないずれのものも用いることができる。このような記録媒体としては、例えば、光沢紙、コート紙、光沢フィルムなどの支持体上に多孔質層が配設されたインクジェット用の記録媒体や、表面の少なくとも一部に繊維が露出した、いわゆるコピー用紙などの普通紙を挙げることができる。
【０１２７】
また、本発明のインクセットを構成する各インクと、さらに別のインクとを組み合わせてインクジェット記録方法に用いてもよい。組み合わせて用いることができる別のインクとしては、例えば、色材として染料を含有する、ブラック、シアン、イエロー、レッド、ブルー、グリーンなどの各インク（濃インク）を挙げることができる。また、色材として染料を含有する、淡シアン、淡マゼンタ、淡イエロー、グレーなどの各インク（淡インク）を挙げることができる。
【実施例】
【０１２８】
次に、実施例及び比較例を挙げて本発明をより具体的に説明する。本発明はその要旨を超えない限り、以下の実施例によって限定されるものではない。なお、成分量の記載について「部」及び「％」とあるのは、特に断りのない限り質量基準である。
【０１２９】
＜顔料分散液の調製＞
（自己分散顔料のカルボキシ基量の測定方法）
顔料分散液に１．０ｍｏｌ／Ｌ塩酸を加えてｐＨを２以下とし、２５℃で２４時間撹拌して顔料を沈殿させた。５，０００ｒｐｍで３０分間遠心分離した後、上澄みの液体を除去して顔料を採取した。採取した顔料を６０℃のオーブンに入れて２４時間乾燥させた後、メノウ乳鉢を用いてすり潰して試料を調製した。調製した試料（顔料）０．５ｇに０．１ｍｏｌ／Ｌ炭酸水素ナトリウム水溶液３０．０ｇを添加して２４時間撹拌し、カルボキシ基の選択的中和を行った。８０，０００ｒｐｍで６０分間遠心分離した後、上澄みの液体を採取した。採取した液体に含まれる炭酸水素ナトリウム（中和に使用されなかったもの）の量を、０．１ｍｏｌ／Ｌ塩酸を用いて中和滴定して定量した（Ａモルとする）。ブランクとして０．１ｍｏｌ／Ｌ炭酸水素ナトリウム水溶液３０．０ｇを用意し、このブランク中の炭酸水素ナトリウムの量を、０．１ｍｏｌ／Ｌ塩酸を用いて中和滴定して定量した（Ｂモルとする）。得られた上記の定量値Ａ及びＢの差分（Ａ−Ｂ）を選択的中和で使用した炭酸水素ナトリウムの量とし、自己分散顔料１ｇ当たりのカルボキシ基の量Ｃ（ｍｍｏｌ／ｇ）を算出した。
【０１３０】
（自己分散顔料のヒドロキシ基量の測定方法）
炭酸水素ナトリウムに代えて水酸化ナトリウムを用いたこと以外は、上記の「自己分散顔料のカルボキシ基量の測定方法」と同様の手順で、自己分散顔料量１ｇ当たりのカルボキシ基、ラクトン基、及びヒドロキシ基の合計の量Ｄ（ｍｍｏｌ／ｇ）を算出した。また、炭酸水素ナトリウムに代えて炭酸ナトリウムを用いたこと以外は、上記の「自己分散顔料のカルボキシ基量の測定方法」と同様の手順で、自己分散顔料量１ｇ当たりのカルボキシ基及びラクトン基の合計の量Ｅ（ｍｍｏｌ／ｇ）を求めた。そして、下記式より、自己分散顔料１ｇ当たりのヒドロキシ基の量Ｈ（ｍｍｏｌ／ｇ）を算出した。
自己分散顔料１ｇ当たりのヒドロキシ基の量Ｈ＝Ｄ−Ｅ
【０１３１】
（顔料分散液１〜９）
特表２００３−５３５９４９号公報の実施例３の記載を参考にし、オゾンガスを用いて顔料を表面酸化処理して自己分散顔料を調製した。具体的には、まず、顔料をイオン交換水に予備分散させた後、表１に示す時間のオゾン処理を行った。顔料としては、カーボンブラック（商品名「ＦＷ−１８」、オリオンエンジニアドカーボン製、ＢＥＴ比表面積２６０ｍ2／ｇ、ＤＢＰ吸油量１４０ｍＬ／１００ｇ）を用いた。次いで、水酸化カリウムを添加して混合物のｐＨを７程度に調整しながら、表１に示す時間、液−液衝突型の分散機を用いて混合物を循環させた後、限外ろ過により精製した。適量のイオン交換水を添加して顔料の含有量を調整し、自己分散顔料の含有量が１０．０％である顔料分散液１〜９を得た。表１には、各顔料分散液中の自己分散顔料のカルボキシ基量及びヒドロキシ基量も示す。
【０１３２】
2016125003.tif 000033
【０１３３】
（顔料分散液１０）
国際公開第２０００／０５８４１１号の実施例１の記載を参考にし、酸化剤を用いて顔料を表面酸化処理して自己分散顔料を調製した。具体的には、まず、顔料１４．０部をイオン交換水６５．０部に分散させた後、次亜塩素酸ナトリウム水溶液（有効塩素濃度４％）２１．０部を滴下して、温度１００℃で１０時間撹拌した。顔料としては、カーボンブラック（商品名「ＦＷ−１８」、オリオンエンジニアドカーボン製、ＢＥＴ比表面積２６０ｍ2／ｇ、ＤＢＰ吸油量１４０ｍＬ／１００ｇ）を用いた。次いで、限外ろ過により精製した後、適量のイオン交換水を添加して顔料の含有量を調整し、自己分散顔料の含有量が１０．０％である顔料分散液１０を得た。顔料分散液１０中の自己分散顔料のカルボキシ基量は０．３０ｍｍｏｌ／ｇであり、ヒドロキシ基量は０．１０ｍｍｏｌ／ｇであった。
【０１３４】
（顔料分散液１１）
国際公開第２０００／０５８４１１号の実施例１の記載を参考にし、酸化剤を用いて顔料を表面酸化処理して自己分散顔料を調製した。具体的には、まず、顔料１４．０部をイオン交換水７６．０部に分散させた後、次亜塩素酸ナトリウム水溶液（有効塩素濃度４％）１０．０部を滴下して、温度１００℃で１０時間撹拌した。顔料としては、カーボンブラック（商品名「ＦＷ−１８」、オリオンエンジニアドカーボン製、ＢＥＴ比表面積２６０ｍ2／ｇ、ＤＢＰ吸油量１４０ｍＬ／１００ｇ）を用いた。次いで、限外ろ過により精製した後、適量のイオン交換水を添加して顔料の含有量を調整し、自己分散顔料の含有量が１０．０％である顔料分散液１１を得た。顔料分散液１１中の自己分散顔料のカルボキシ基量は０．１４ｍｍｏｌ／ｇであり、ヒドロキシ基量は０．０４ｍｍｏｌ／ｇであった。
【０１３５】
（顔料分散液１２）
カーボンブラックの粒子表面に化学修飾によりベンゼンカルボン酸基を結合させた自己分散顔料を含有する水分散液（商品名「ＣＡＢ−Ｏ−ＪＥＴ３００」、キャボット製、自己分散顔料の含有量：２０．０％）を顔料分散液１２として用いた。
【０１３６】
＜一般式（１）で表される化合物の合成＞
（化合物Ａ）
特開２００４−０８３９０３号公報の記載を参考に、遊離酸型として下記式で表される化合物の、カリウム塩である化合物Ａを合成した。
2016125003.tif 000034
【０１３７】
（化合物Ｂ）
特開２００４−０８３９０３号公報の記載を参考に、遊離酸型として下記式で表される化合物の、カリウム塩である化合物Ｂを合成した。
2016125003.tif 000035
【０１３８】
（比較化合物Ａの合成）
特開２００４−０８３９０３号公報の記載を参考に、遊離酸型として下記式で表される化合物の、カリウム塩である比較化合物Ａを合成した。
2016125003.tif 000036
【０１３９】
（比較化合物Ｂの合成）
特開２００４−０８３９０３号公報の記載を参考に、遊離酸型として下記式で表される化合物の、カリウム塩である比較化合物Ｂを合成した。
2016125003.tif 000037
【０１４０】
（比較化合物Ｃの合成）
特開２００４−０８３９０３号公報の記載を参考に、遊離酸型として下記式で表される化合物の、カリウム塩である比較化合物Ｃを合成した。
2016125003.tif 000038
【０１４１】
（比較化合物Ｄの合成）
特開２０１０−３７５０５号公報の記載を参考に、遊離酸型として下記式で表される化合物の、カリウム塩である比較化合物Ｄを合成した。
2016125003.tif 000039
【０１４２】
＜インクの調製＞
表２及び３の上段に示す各成分（単位：％）を混合し、十分に撹拌した後、ポアサイズ１．２μｍのメンブレンフィルター（商品名「ＨＤＣＩＩフィルター」、ポール製）で加圧ろ過して各インクを調製した。表２及び３中の「アセチレノールＥ１００」（川研ファインケミカル製）は、ノニオン性界面活性剤の商品名である。
【０１４３】
2016125003.tif 000040
【０１４４】
2016125003.tif 000041
【０１４５】
＜評価＞
上記で得られた各インクをそれぞれインクカートリッジに充填し、表４に示す組み合わせのインクセットとした。そして、下記の各項目の評価を行った。評価結果を表４に示す。本発明においては、以下に示す評価基準で、「Ａ」及び「Ｂ」を許容できるレベル、「Ｃ」及び「Ｄ」を許容できないレベルとした。
【０１４６】
（２次色画像の発色性：暗部の色再現範囲）
インクセットを構成する各インクが充填されたインクカートリッジを、インクジェット記録装置（商品名「ＰＩＸＵＳｉＰ７２００」、キヤノン製）にそれぞれセットした。第１インクが充填されたインクカートリッジはブラックインクのポジションにセットした。また、第２インクが充填されたインクカートリッジはイエローインクのポジションにセットした。他のインクとしては、ＢＣＩ−３５１Ｃ、ＢＣＩ−３５１Ｍ、及びＢＣＩ−３５１Ｋ（いずれも商品名（キヤノン製））をそれぞれ所定のポジションにセットした。そして、普通紙（商品名「Ｂｒｉｇｈｔ  Ｗｈｉｔｅ  Ｉｎｋｊｅｔ  Ｐａｐｅｒ」、ヒューレッドパッカード製）に、高精細ＸＹＺ・ＣＩＥＬＡＢ・ＲＧＢ標準画像（ＳＨＩＰＰ）（監修：高精細標準画像作成委員会、発行：画像電子学会）のＲＧＢカラーチャートを記録した。そして、記録の２４時間後に測色を行い、上記標準画像の技術解説書に記載されている方法で、色彩分布の３次元的な広がり（色域体積）を計算して色域体積の値を得た。なお、分光光度計（商品名「Ｓｐｅｃｔｒｏｌｉｎｏ」、ＧｒｅｔａｇＭａｃｂｅｔｈ製）を使用し、光源：Ｄ５０、視野：２°の条件で測色した。そして、Ｌ*＝０〜６５かつ色相角０°〜１５０°の範囲における色域体積の値から、以下に示す評価基準にしたがって暗部の色再現範囲を評価した。
Ａ：色域体積の値が３９ｋ以上であった。
Ｂ：色域体積の値が３１ｋ以上３９ｋ未満であった。
Ｃ：色域体積の値が２３ｋ以上３１ｋ未満であった。
Ｄ：色域体積がの値２３ｋ未満であった。
【０１４７】
（光学濃度）
第１インクが充填されたインクカートリッジを、熱エネルギーによりインクを吐出する記録ヘッドを搭載したインクジェット記録装置（商品名「ＰＩＸＵＳｉＰ２７００」、キヤノン製）にセットした。なお、上記のインクジェット記録装置の解像度は６００ｄｐｉ×６００ｄｐｉである。また、１／６００インチ×１／６００インチの単位領域に、１滴当たりの質量が２５ｎｇ±１０％であるインク滴を１滴付与する条件を記録デューティが１００％であると定義する。そして、普通紙（商品名「Ｘｅｒｏｘ４２００」、ゼロックス製）に、記録デューティが１００％であるベタ画像（２ｃｍ×２ｃｍ／１ライン）を記録した。記録の１日後に反射濃度計（商品名「ＭａｃｂｅｔｈＲＤ−９１８」、マクベス製）を使用してベタ画像の光学濃度を測定し、以下に示す評価基準にしたがって光学濃度を評価した。
Ａ：光学濃度の平均値が１．３５以上であった。
Ｂ：光学濃度の平均値が１．２５以上１．３５未満であった。
Ｃ：光学濃度の平均値が１．２５未満であった。
【０１４８】
2016125003.tif 000042